(57)【要約】【課題】照明器具を安定的に保持し、かつ、照明器具の取り外しを容易に行うことのできる照明器具用アダプタを提供する。【解決手段】照明器具用アダプタ１００であって、引掛シーリングボディ２００に取り付けられる筐体１１５と、筐体１１５に配置され、照明器具３００を係止することで照明器具３００を保持する保持機構部１３０であって、押されることで照明器具３００の係止を解除する、前記筐体の内部に収容された解除部材１３５を有する保持機構部１３０と、筐体１１５に形成された解除孔１６０であって、照明器具３００と照明器具用アダプタ１００とを電気的に接続するための電線３３５の一端に設けられたコネクタ３３０の、筐体１１５の外方からの挿入が可能な解除孔１６０とを備え、保持機構部１３０は、解除部材１３５が、解除孔１６０に挿入されたコネクタ３３０に押されることで、照明器具３００の係止を解除する。【選択図】図４
2015088338.tif 000002
【特許請求の範囲】
【請求項１】
引掛シーリングボディと照明器具とを接続するための照明器具用アダプタであって、
前記引掛シーリングボディに取り付けられる筐体と、
前記筐体に配置され、前記照明器具を係止することで前記照明器具を保持する保持機構部であって、押されることで前記保持機構部による前記照明器具の係止を解除する、前記筐体の内部に収容された解除部材を有する保持機構部と、
前記筐体に形成された第一解除孔であって、前記照明器具と前記照明器具用アダプタとを電気的に接続するための電線の一端に設けられたコネクタの、前記筐体の外方からの挿入が可能な第一解除孔とを備え、
前記解除部材は、前記第一解除孔に挿入された前記コネクタに押されることで、前記照明器具の係止を解除する
照明器具用アダプタ。
【請求項２】
さらに、前記筐体に配置され、前記コネクタが着脱自在に接続される接続部あって、前記コネクタが接続されることで、前記照明器具と前記照明器具用アダプタとを電気的に接続する接続部を備える
請求項１記載の照明器具用アダプタ。
【請求項３】
さらに、前記筐体から延設された前記電線を備え、前記コネクタは、前記照明器具に着脱自在に接続されるコネクタである
請求項１記載の照明器具用アダプタ。
【請求項４】
前記コネクタは、前記第一解除孔に挿入される場合における後端部において、前記第一解除孔への挿入方向と交差する平面を形成し、かつ、前記電線の一部を覆うように設けられた平面部を有する
請求項２または３に記載の照明器具用アダプタ。
【請求項５】
前記第一解除孔は、前記コネクタの、前記第一解除孔への挿入方向から見た場合の外形に沿った形状に形成されている
請求項１〜４のいずれか１項に記載の照明器具用アダプタ。
【請求項６】
前記保持機構部は、前記筐体から突出した状態で前記照明器具を係止する第一係止部材を有し、
前記解除部材は、前記筐体から突出した状態の前記第一係止部材を、前記筐体の内方に移動させることで、前記照明器具の係止を解除する
請求項１〜５のいずれか１項に記載の照明器具用アダプタ。
【請求項７】
前記保持機構部はさらに、前記筐体から、前記第一係止部材とは異なる方向に突出した状態で前記照明器具を係止する第二係止部材を有し、
前記解除部材は、前記第一係止部材および前記第二係止部材の両方を前記筐体の内方に移動させることで、前記照明器具の係止を解除する
請求項６記載の照明器具用アダプタ。
【請求項８】
前記第一解除孔は、前記筐体が前記引掛シーリングボディに取り付けられた場合における、前記筐体の前記引掛シーリングボディとは反対側の面である器具側面の周縁部に配置されている
請求項１〜７のいずれか１項に記載の照明器具用アダプタ。
【請求項９】
さらに、前記筐体に形成された第二解除孔を備え、
前記第一解除孔には、前記電線の一端に設けられた前記コネクタである第一コネクタの挿入が可能であり、
前記第二解除孔には、前記電線の他端に設けられた第二コネクタの挿入が可能であり、
前記解除部材は、前記第一解除孔に挿入された前記第一コネクタ、および、前記第二解除孔に挿入された前記第二コネクタに押されることで、前記照明器具の係止を解除する
請求項１〜５のいずれか１項に記載の照明器具用アダプタ。
【請求項１０】
前記保持機構部は、前記筐体から突出した状態で前記照明器具を係止する第一係止部材、および、前記筐体から、前記第一係止部材とは異なる方向に突出した状態で前記照明器具を係止する第二係止部材を有し、
前記解除部材は、互いに独立して動作可能な第一解除部材および第二解除部材を有し、
前記第一解除部材は、前記第一解除孔に挿入された前記第一コネクタに押された場合に、前記筐体から突出した状態の前記第一係止部材を前記筐体の内方に移動させることで、前記第一係止部材による前記照明器具の係止を解除し、
前記第二解除部材は、前記第二解除孔に挿入された前記第二コネクタに押された場合に、前記筐体から突出した状態の前記第二係止部材を前記筐体の内方に移動させることで、前記第二係止部材による前記照明器具の係止を解除する
請求項９記載の照明器具用アダプタ。
【請求項１１】
前記第一解除孔および前記第二解除孔は、前記筐体が前記引掛シーリングボディに取り付けられた場合における、前記筐体の前記引掛シーリングボディとは反対側の面である器具側面の周縁部に配置されている
請求項９または１０に記載の照明器具用アダプタ。
【請求項１２】
請求項１〜１１のいずれか１項に記載の照明器具用アダプタと、
前記照明器具用アダプタに取り付けられる器具本体と
を備える照明器具。
【発明の詳細な説明】
【技術分野】
【０００１】
本発明は、天井に配設された引掛シーリングボディに照明器具を接続するための照明器具用アダプタ等に関する。
【背景技術】
【０００２】
従来、天井に配設された引掛シーリングボディに照明器具を電気的および機械的に接続するための照明器具用アダプタが知られている（例えば、特許文献１参照）。
【０００３】
また、近年、発光素子としてＬＥＤを用いた照明器具（ＬＥＤ照明）の普及が進んでおり、引掛シーリングボディとＬＥＤ照明とを接続する照明器具用アダプタも存在する。
【先行技術文献】
【特許文献】
【０００４】
【特許文献１】特開２００７−２５０５１２号公報
【発明の概要】
【発明が解決しようとする課題】
【０００５】
照明器具用アダプタは、ＬＥＤ照明等の照明器具が着脱自在に接続される構成を有しており、例えば、ある照明器具用アダプタに接続された照明器具を取り外し、他の照明器具を当該照明器具用アダプタに接続することが可能である。
【０００６】
この照明器具の取り外しが、例えば照明器具用アダプタと照明器具とを電気的に接続する電線の取り外しの前、つまり、当該電線の両端が固定されている状態で行われた場合、当該電線の断線、当該電線の端部に設けられたコネクタの破損等の損傷が発生し得る。
【０００７】
また、照明器具用アダプタには、例えば照明器具の落下防止のために、照明器具の接続状態を固定するロック機構およびロックを解除するための解除機構を備えている。
【０００８】
この解除機構は、安全性の観点から、例えばユーザが触れただけでロックが解除できるような仕組みは採用されていない。つまり、ユーザは、照明器具を照明器具用アダプタから取り外す場合、ロックを解除するための何らかの操作をしながら取り外す必要がある。
【０００９】
そのため、従来では、ＬＥＤを用いたシーリングライトなど、サイズおよび重量が比較的大きな照明器具を照明器具用アダプタから取り外す場合、その作業は容易ではない。
【００１０】
本発明は、上記従来の課題を考慮し、照明器具を安定的に保持し、かつ、照明器具の取り外しを容易に行うことのできる照明器具用アダプタ等を提供する。
【課題を解決するための手段】
【００１１】
本発明の一態様に係る照明器具用アダプタは、引掛シーリングボディと照明器具とを接続するための照明器具用アダプタであって、前記引掛シーリングボディに取り付けられる筐体と、前記筐体に配置され、前記照明器具を係止することで前記照明器具を保持する保持機構部であって、押されることで前記保持機構部による前記照明器具の係止を解除する、前記筐体の内部に収容された解除部材を有する保持機構部と、前記筐体に形成された第一解除孔であって、前記照明器具と前記照明器具用アダプタとを電気的に接続するための電線の一端に設けられたコネクタの、前記筐体の外方からの挿入が可能な第一解除孔とを備え、前記解除部材は、前記第一解除孔に挿入された前記コネクタに押されることで、前記照明器具の係止を解除する。
【００１２】
また、本発明の一態様に係る照明器具用アダプタは、さらに、前記筐体に配置され、前記コネクタが着脱自在に接続される接続部あって、前記コネクタが接続されることで、前記照明器具と前記照明器具用アダプタとを電気的に接続する接続部を備えるとしてもよい。
【００１３】
また、本発明の一態様に係る照明器具用アダプタは、さらに、前記筐体から延設された前記電線を備え、前記コネクタは、前記照明器具に着脱自在に接続されるコネクタであるとしてもよい。
【００１４】
また、本発明の一態様に係る照明器具用アダプタにおいて、前記コネクタは、前記第一解除孔に挿入される場合における後端部において、前記第一解除孔への挿入方向と交差する平面を形成し、かつ、前記電線の一部を覆うように設けられた平面部を有するとしてもよい。
【００１５】
また、本発明の一態様に係る照明器具用アダプタにおいて、前記第一解除孔は、前記コネクタの、前記第一解除孔への挿入方向から見た場合の外形に沿った形状に形成されているとしてもよい。
【００１６】
また、本発明の一態様に係る照明器具用アダプタにおいて、前記保持機構部は、前記筐体から突出した状態で前記照明器具を係止する第一係止部材を有し、前記解除部材は、前記筐体から突出した状態の前記第一係止部材を、前記筐体の内方に移動させることで、前記照明器具の係止を解除するとしてもよい。
【００１７】
また、本発明の一態様に係る照明器具用アダプタにおいて、前記保持機構部はさらに、前記筐体から、前記第一係止部材とは異なる方向に突出した状態で前記照明器具を係止する第二係止部材を有し、前記解除部材は、前記第一係止部材および前記第二係止部材の両方を前記筐体の内方に移動させることで、前記照明器具の係止を解除するとしてもよい。
【００１８】
また、本発明の一態様に係る照明器具用アダプタにおいて、前記第一解除孔は、前記筐体が前記引掛シーリングボディに取り付けられた場合における、前記筐体の前記引掛シーリングボディとは反対側の面である器具側面の周縁部に配置されているとしてもよい。
【００１９】
また、本発明の一態様に係る照明器具用アダプタは、さらに、前記筐体に形成された第二解除孔を備え、前記第一解除孔には、前記電線の一端に設けられた前記コネクタである第一コネクタの挿入が可能であり、前記第二解除孔には、前記電線の他端に設けられた第二コネクタの挿入が可能であり、前記解除部材は、前記第一解除孔に挿入された前記第一コネクタ、および、前記第二解除孔に挿入された前記第二コネクタに押されることで、前記照明器具の係止を解除するとしてもよい。
【００２０】
また、本発明の一態様に係る照明器具用アダプタにおいて、前記保持機構部は、前記筐体から突出した状態で前記照明器具を係止する第一係止部材、および、前記筐体から、前記第一係止部材とは異なる方向に突出した状態で前記照明器具を係止する第二係止部材を有し、前記解除部材は、互いに独立して動作可能な第一解除部材および第二解除部材を有し、前記第一解除部材は、前記第一解除孔に挿入された前記第一コネクタに押された場合に、前記筐体から突出した状態の前記第一係止部材を前記筐体の内方に移動させることで、前記第一係止部材による前記照明器具の係止を解除し、前記第二解除部材は、前記第二解除孔に挿入された前記第二コネクタに押された場合に、前記筐体から突出した状態の前記第二係止部材を前記筐体の内方に移動させることで、前記第二係止部材による前記照明器具の係止を解除するとしてもよい。
【００２１】
また、本発明の一態様に係る照明器具用アダプタにおいて、前記第一解除孔および前記第二解除孔は、前記筐体が前記引掛シーリングボディに取り付けられた場合における、前記筐体の前記引掛シーリングボディとは反対側の面である器具側面の周縁部に配置されているとしてもよい。
【００２２】
また、本発明の一態様に係る照明器具は、上記いずれかの態様の照明器具用アダプタと、前記照明器具用アダプタに取り付けられる器具本体とを備える。
【発明の効果】
【００２３】
本発明は、照明器具を安定的に保持し、かつ、照明器具の取り外しを容易に行うことのできる照明器具用アダプタ、および当該照明器具用アダプタを有する照明器具を提供することができる。
【図面の簡単な説明】
【００２４】
【図１】図１は、実施の形態に係る照明器具用アダプタを下面側から見た斜視図である。
【図２】図２は、実施の形態に係る照明器具用アダプタを上面側から見た外観斜視図である。
【図３】図３は、実施の形態に係る照明器具用アダプタを含む照明システムの概要を示す図である。
【図４】図４は、実施の形態に係る照明器具用アダプタの分解斜視図である。
【図５】図５は、実施の形態に係る照明器具用アダプタが有する解除孔とコネクタとの関係を示す図である。
【図６】図６は、実施の形態に係る保持機構部の構造および動作の概要を示す図である。
【図７】図７は、実施の形態に係る照明器具の取り外し手順を示す第１の図である。
【図８】図８は、実施の形態に係る照明器具の取り外し手順を示す第２の図である。
【図９】図９は、実施の形態に係る照明器具の取り外し手順を示す第３の図である。
【図１０】図１０は、実施の形態に係る照明器具の取り外し手順を示す第４の図である。
【図１１】図１１は、実施の形態に係る照明器具の取り外し作業の様子を示す模式図である。
【図１２】図１２は、実施の形態の変形例１に係る照明器具用アダプタの外観を示す斜視図である。
【図１３Ａ】図１３Ａは、実施の形態の変形例２に係る照明器具用アダプタの外観を示す斜視図である。
【図１３Ｂ】図１３Ｂは、実施の形態の変形例２に係る保持機構部の構成概要を示す平面図である。
【図１４】図１４は、実施の形態の変形例３に係る照明器具用アダプタの外観を示す斜視図である。
【発明を実施するための形態】
【００２５】
以下、実施の形態に係る照明器具用アダプタについて、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２６】
なお、各図は模式図であり、必ずしも厳密に図示されたものではない。また、各図において、実質的に同一の構成に対しては同一の符号を付しており、重複する説明は省略又は簡略化される場合がある。
【００２７】
（実施の形態）
以下、実施の形態に係る照明器具用アダプタについて説明する。なお、以下の実施の形態では、引掛シーリングボディ、照明器具用アダプタ、および照明器具が天井に取り付けられた状態において天井側を上側、床面側を下側と表現する。
【００２８】
［照明器具用アダプタの構造］
まず、実施の形態に係る照明器具用アダプタの構造について説明する。
【００２９】
図１は、実施の形態に係る照明器具用アダプタ１００を下面側から見た斜視図である。図２は、実施の形態に係る照明器具用アダプタ１００を上面側から見た斜視図である。
【００３０】
図３は、実施の形態に係る照明器具用アダプタ１００を含む照明システムの概要を示す図である。図４は、実施の形態に係る照明器具用アダプタ１００の分解斜視図である。
【００３１】
照明器具用アダプタ１００は、図１〜図４に示されるように、筐体１１５と、筐体１１５に配置された保持機構部１３０とを備える。筐体１１５には解除孔１６０が形成されている。
【００３２】
筐体１１５は、引掛シーリングボディ２００に取り付けられる。保持機構部１３０は、筐体１１５に配置され、照明器具３００を係止することで照明器具３００を保持する機構部である。また、保持機構部１３０は、筐体１１５の内部に収容された解除部材１３５であって、押されることで保持機構部１３０による照明器具３００の係止を解除する解除部材１３５を有している。
【００３３】
筐体１１５に形成された解除孔１６０は、照明器具３００と照明器具用アダプタ１００とを電気的に接続するための電線３３５の一端に設けられたコネクタ３３０の、筐体１１５の外方からの挿入が可能な孔である。
【００３４】
上記構造を有する照明器具用アダプタ１００において、解除部材１３５は、解除孔１６０に挿入されたコネクタ３３０に押されることで、照明器具３００の係止を解除する。
【００３５】
本実施の形態に係る照明器具用アダプタの各構成要素についてさらに詳細に説明する。
【００３６】
筐体１１５は、本実施の形態では、例えば図１に示すように、本体部１１０およびカバー１５５で構成されている。
【００３７】
本体部１１０は、下面側が開口した有底円筒状かつ扁平状の部材である。本体部１１０は、例えば、絶縁性を有する合成樹脂材料により形成され、カバー１５５とともに筐体１１５を構成する。
【００３８】
カバー１５５は、本体部１１０の下面側の開口に設けられた樹脂製かつ板状の部材である。カバー１５５の外側の面により、筐体１１５の下面（器具側面１１６）が形成されている。器具側面１１６は、筐体１１５が引掛シーリングボディ２００に取り付けられた場合における、筐体１１５の引掛シーリングボディ２００とは反対側の面である。
【００３９】
器具側面１１６の中央部には、接続部１５０へのコネクタ３３０の挿抜を可能とする接続用開口１６５が形成されている。また、器具側面１１６の周縁部（中央部の外側の部分）に、解除孔１６０が形成されている。
【００４０】
筐体１１５には、保持機構部１３０に加え、端子１２０ａおよび１２０ｂ、ロック解除ボタン１４０、および接続部１５０等が備えられている。
【００４１】
また、図２に示すように、本体部１１０の上面（取付面１１７）に設けられた２つの開口からは、端子１２０ａおよび１２０ｂがそれぞれ突出している。また、本体部１１０の上面に設けられた、上記２つの開口とは異なる開口からは、ロック爪部１８０ａが突出している。
【００４２】
照明器具用アダプタ１００は、図３に示すように、筐体１１５の取付面１１７が引掛シーリングボディ２００の下面に対向した状態で取り付けられる。
【００４３】
具体的には、照明器具用アダプタ１００の取付面１１７を引掛シーリングボディ２００の下面に合わせ、照明器具用アダプタ１００を所定の角度回転させる。これにより、照明器具用アダプタ１００の端子１２０ａおよび１２０ｂのそれぞれが、引掛シーリングボディ２００の内部に設けられた端子受け部に保持される。これにより、引掛シーリングボディ２００と照明器具用アダプタ１００とは、電気的および機械的に接続される。
【００４４】
この状態では、ロック爪部１８０ａ（図２参照）は、コイルばね（図示せず）の付勢力により、筐体１１５の上面から突出して、引掛シーリングボディ２００の下面に設けられた穴に嵌まり込み、照明器具用アダプタ１００の回転がロックされる。
【００４５】
また、ロック解除ボタン１４０が筐体１１５の内側に押し込まれると、ロック解除ボタン１４０の傾斜面１４０ａ（図４参照）が、ロック部１８０の傾斜面１８０ｃ（図４参照）と摺動する。この結果、ロック爪部１８０ａが筐体１１５の上面側から下面側に押し下げられる。これにより、照明器具用アダプタ１００と引掛シーリングボディ２００との接続についてのロックが解除される。
【００４６】
なお、引掛シーリングボディ２００は、図３に示される形状および構造に限定されない。また、「引掛シーリングボディ」は、一般に「引掛シーリング」、「埋込ローゼット」、または「引掛埋込ローゼット」等と呼ばれる、天井に配置され、照明器具と電気的および機械的に接続される器具の総称である。
【００４７】
保持機構部１３０は、本実施の形態では、筐体１１５から突出した状態で照明器具３００を係止する係止部材を有する。具体的には、保持機構部１３０は、係止部材１３０ａおよび１３０ｂを有している。係止部材１３０ａおよび１３０ｂの一方は、第一係止部材の一例であり、他方は、第二係止部材の一例である。係止部材１３０ａおよび１３０ｂのそれぞれは、例えば樹脂を成形することで作製される。
【００４８】
係止部材１３０ａおよび１３０ｂの間は、図４に示すように、ねじりばね１７０で接続されており、係止部材１３０ａおよび１３０ｂのそれぞれは、筐体１１５の外方に向かう方向の付勢力をねじりばね１７０から受けている。
【００４９】
具体的には、筐体１１５（本体部１１０）の側面に開口１１０ａおよび１１０ｂが設けられており、開口１１０ａから係止部材１３０ａの端部が突出している。また、開口１１０ｂからは、係止部材１３０ｂの端部が突出している。つまり、係止部材１３０ａおよび係止部材１３０ｂは、筐体１１５から互いに異なる方向に突出している。
【００５０】
このように筐体１１５から突出した係止部材１３０ａおよび１３０ｂが、照明器具３００が有する取付孔３６０の周縁に引っかかり、これにより、照明器具３００が係止される。つまり、照明器具３００が照明器具用アダプタ１００（保持機構部１３０）に安定的に保持される。
【００５１】
また、照明器具用アダプタ１００から照明器具３００を取り外す際、照明器具用アダプタ１００が備える保持機構部１３０等の特徴的な構成要素により、安全かつ簡単に取り外すことができる。
【００５２】
照明器具用アダプタ１００から照明器具３００を取り外す際の、保持機構部１３０の動作等については、図５〜図１１を用いて後述する。
【００５３】
接続部１５０は、カバー１５５の中央に設けられた接続用開口１６５（図４参照）を通じて、照明器具３００から延設された電線３３５の端部のコネクタ３３０が挿抜可能に接続される。
【００５４】
具体的には、接続部１５０は、挿し込まれたコネクタ３３０を、容易には抜けないように保持する保持部材等（図示せず）を有している。
【００５５】
照明器具用アダプタ１００は、端子１２０ａおよび１２０ｂを介して引掛シーリングボディ２００から電力を受け取り、接続部１５０に挿し込まれたコネクタ３３０を介して照明器具３００に供給する。
【００５６】
具体的には、端子１２０ａおよび１２０ｂは、金属製の板状の部材であり、上述のように、それぞれの一端は、筐体１１５（本体部１１０）の取付面１１７から突出し、引掛シーリングボディ２００と着脱可能に接続される。また、端子１２０ａおよび１２０ｂの他端は、接続部１５０の内側に配置される。その結果、端子１２０ａおよび１２０ｂの他端は、コネクタ３３０が接続部１５０に挿し込まれた（機械的に接続された）状態において、コネクタ３３０と電気的に接続される。
【００５７】
これにより、照明器具用アダプタ１００を介した、引掛シーリングボディ２００から照明器具３００への電力供給が行われる。
【００５８】
［照明器具の構造］
次に、実施の形態に係る照明器具３００の構造について説明する。
【００５９】
照明器具３００は、図３に示すように、器具本体３１０と、蓋３４０と、カバー部材３５０とを備える。器具本体３１０の中央部分には、取付孔３６０が形成されている。
【００６０】
器具本体３１０には、光源ユニット３２０ａおよび３２０ｂと、光源ユニット３２０ａおよび３２０ｂに電気的に接続されたコネクタ３３０とが設けられている。具体的には、器具本体３１０から延設された電線３３５の端部（器具本体３１０に固定されていない端部）に、コネクタ３３０が設けられている。
【００６１】
光源ユニット３２０ａおよび３２０ｂは、それぞれが内部に複数のＬＥＤを有する発光装置であり、カバー部材３５０の方向（下方）に向けて光を発する。
【００６２】
コネクタ３３０は、照明器具用アダプタ１００の接続部１５０に接続されるコネクタである。上述のように、コネクタ３３０が接続部１５０に接続されることにより、照明器具用アダプタ１００と、照明器具３００とは電気的に接続される。
【００６３】
カバー部材３５０は、透光性を有する光学部材である。本実施の形態では、カバー部材３５０の平面視形状は、角丸矩形状であるが、カバー部材３５０の形状に特に限定はない。
【００６４】
カバー部材３５０は、器具本体３１０の下面を覆うように器具本体３１０に取り付けられる。
【００６５】
このような構造を有する照明器具３００の、照明器具用アダプタ１００への取り付け手順の一例を以下に示す。
【００６６】
照明器具用アダプタ１００が引掛シーリングボディ２００に取り付けられた後、ユーザは、照明器具３００の取付孔３６０に照明器具用アダプタ１００の筐体１１５が挿入されるように器具本体３１０を押し上げる。
【００６７】
このとき、取付孔３６０の内周面と、係止部材１３０ａおよび１３０ｂの端部の傾斜面とが当接し、係止部材１３０ａおよび１３０ｂが、ねじりばね１７０の付勢力に抗して筐体１１５の内側に向けて押し込まれる。
【００６８】
係止部材１３０ａおよび１３０ｂが取付孔３６０を通過すると、取付孔３６０の内周面と、係止部材１３０ａおよび１３０ｂの端部との当接が解消され、係止部材１３０ａおよび１３０ｂが、ねじりばね１７０の付勢力によって筐体１１５の外側に突出する。その結果、器具本体３１０の取付孔３６０の周縁部分が、係止部材１３０ａおよび１３０ｂに係止される。
【００６９】
その後、ユーザは、照明器具用アダプタ１００の接続部１５０にコネクタ３３０を接続し、取付孔３６０を下面側から覆う蓋３４０と、カバー部材３５０とを装着する。これにより、照明器具用アダプタ１００への照明器具３００の電気的および機械的な取り付けが完了する。
【００７０】
［照明器具の照明器具用アダプタからの取り外し手順］
次に、照明器具用アダプタ１００から照明器具３００を取り外す場合の、保持機構部１３０の動作およびユーザの作業手順等について説明する。
【００７１】
ユーザは、照明器具用アダプタ１００から照明器具３００を取り外す場合、まず、カバー部材３５０と、蓋３４０とを外し、その後、接続部１５０からコネクタ３３０を取り外す。
【００７２】
このように接続部１５０から取り外されたコネクタ３３０は、本実施の形態では、照明器具用アダプタ１００による照明器具３００の保持状態の解除のための道具として利用される。
【００７３】
コネクタ３３０による照明器具３００の保持状態の解除の仕組み等について、以下に説明する。
【００７４】
図５は、実施の形態に係る照明器具用アダプタ１００が有する解除孔１６０とコネクタ３３０との関係を示す図である。
【００７５】
図５に示すように、解除孔１６０は、筐体１１５の器具側面１１６に設けられており、その形状は、接続部１５０へのコネクタ３３０の接続を可能とする孔（開口）である、接続用開口１６５と同一（略同一を含む、以下同じ）である。
【００７６】
本実施の形態では、解除孔１６０は、コネクタ３３０の、解除孔１６０への挿入方向から見た場合の外形に沿った形状に形成されている。
【００７７】
つまり、解除孔１６０は、コネクタ３３０を挿抜自在とし、かつ、コネクタ３３０以外の物体の挿入を阻害することのできる形状およびサイズで筐体１１５に形成されている。また、接続部１５０のようなコネクタ３３０を保持する要素は、解除孔１６０の内部（筐体１１５内の解除孔１６０の上方に位置する部分）には配置されていない。
【００７８】
解除孔１６０の内部には、解除孔１６０に挿入されたコネクタ３３０が接触可能な位置に解除部材１３５が配置されており、ユーザは、コネクタ３３０を解除孔１６０に挿入することで、解除部材１３５を押すこと（動作させること）が可能である。
【００７９】
また、コネクタ３３０は、解除孔１６０に挿入される場合における後端部において、解除孔１６０への挿入方向と交差する平面を形成し、かつ、電線３３５の一部を覆うように設けられた平面部３３１を有する。
【００８０】
つまり、コネクタ３３０は、ユーザがコネクタ３３０を解除孔１６０に挿入して押す場合に、押し易さを向上させる部分として平面部３３１を有している。なお、図５に示す平面部３３１の形状およびサイズは一例である。例えば、図５では露出している電線３３５の折り曲げ部分を覆うように平面部３３１が設けられてもよい。
【００８１】
また、平面部３３１は、電線３３５の端部を保持するコネクタ３３０の本体と一体であってもよく、本体とは別体の部品であってもよい。
【００８２】
図６は、実施の形態に係る保持機構部１３０の構造および動作の概要を示す図である。
【００８３】
図７〜図１０のぞれぞれは、実施の形態に係る照明器具３００の取り外し手順を示す図である。
【００８４】
なお、図６において、コネクタ３３０およびねじりばね１７０は、点線で概念的に示されている。また、図７〜図１０では、照明器具３００（器具本体３１０）の一部の断面であって、係止部材１３０ａおよび１３０ｂに係止される部分の断面が示されている。
【００８５】
図６に示すように、解除部材１３５は、突起１３６ａおよび１３６ｂ、ならびに、テーパ部１３７を有する。係止部材１３０ａはカム溝１３１ａを有し、係止部材１３０ｂはカム溝１３１ｂを有する。
【００８６】
係止部材１３０ａのカム溝１３１ａには、解除部材１３５の突起１３６ａが摺動可能に係合し、係止部材１３０ｂのカム溝１３１ｂには、解除部材１３５の突起１３６ｂが摺動可能に係合する。
【００８７】
カム溝１３１ａおよびカム溝１３１ｂのそれぞれは、図６に示すように、解除部材１３５の移動方向（Ｙ軸方向）に対して斜めに配置されている。具体的には、直線である解除部材１３５の移動軌跡から離れる方向に傾いている。
【００８８】
また、解除部材１３５のテーパ部１３７は、解除孔１６０に対するコネクタ３３０の挿入方向に対して傾けられた面を形成している。
【００８９】
このような構造を有する保持機構部１３０において、ねじりばね１７０により、係止部材１３０ａと係止部材１３０ｂとは互いに離れる方向に付勢されている。
【００９０】
そのため、通常は、図７に示すように、係止部材１３０ａおよび係止部材１３０ｂのそれぞれは、筐体１１５から突出した状態であり、照明器具３００は、照明器具用アダプタ１００に保持されている。
【００９１】
また、この状態の解除部材１３５の突起１３６ａは、カム溝１３１ａの手前側（Ｙ軸負側、以下同じ）の端部に係止され、解除部材１３５の突起１３６ｂは、カム溝１３１ｂの手前側の端部に係止される。
【００９２】
つまり、保持機構部１３０において、解除部材１３５は、通常、ねじりばね１７０の弾性力（付勢力）を係止部材１３０ａおよび１３０ｂを介して受けることで、手前側の所定の位置に停止している。
【００９３】
この状態において、ユーザは、図８に示すように、接続部１５０に接続されていたコネクタ３３０を接続部１５０から取り外す。
【００９４】
ユーザはさらに、図９に示すように、接続部１５０から取り外したコネクタ３３０を、解除孔１６０に挿入する。これより、コネクタ３３０は解除部材１３５の後端部に設けられたテーパ部１３７と接触しかつ滑りあい、その結果、解除部材１３５は、Ｙ軸正の方向に移動する（図６参照）。
【００９５】
つまり、ユーザによる、コネクタ３３０に対するＺ軸正の方向の押圧力が、テーパ部１３７によってＹ軸正の方向の力に変換され、これにより、解除部材１３５はＹ軸正の方向に押される。つまり、解除部材１３５はねじりばね１７０の弾性力に抗してＹ軸正の方向に移動する。
【００９６】
このように解除部材１３５がＹ軸正の方向に移動した場合、カム溝１３１ａに係合する突起１３６ａによって位置が規制される係止部材１３０ａは、係止部材１３０ｂに近づく方向に移動する。また、カム溝１３１ｂに係合する突起１３６ｂによって位置が規制される係止部材１３０ｂは、係止部材１３０ａに近づく方向に移動する。
【００９７】
その結果、図９に示すように、係止部材１３０ａによる照明器具３００の係止は解除され、かつ、係止部材１３０ｂによる照明器具３００の係止は解除される。
【００９８】
つまり、解除部材１３５は、筐体１１５から突出した状態の係止部材１３０ａおよび係止部材１３０ｂの両方を、筐体１１５の内方に移動させることで、照明器具３００の係止を解除する。
【００９９】
ユーザは、照明器具３００の係止が解除（保持機構部１３０による保持が解除）された後に、照明器具３００の取付孔３６０から照明器具用アダプタ１００が抜き出されるように、照明器具３００を下方に移動させる。
【０１００】
また、このとき、ユーザはコネクタ３３０から手を離すことで、コネクタ３３０は、自重および電線３３５の重みによって解除孔１６０から自然に外れ、電線３３５によって照明器具３００のみと接続された状態となる。
【０１０１】
より具体的には、照明器具３００を初期位置（照明器具用アダプタ１００に保持されている場合の位置）から下方に移動させ、係止部材１３０ａおよび１３０ｂが、取付孔３６０の内方に位置した時点でユーザはコネクタ３３０から手を離すことができる。
【０１０２】
その後、図１０に示すように、係止部材１３０ａおよび１３０ｂが、取付孔３６０から完全に抜き出されると、係止部材１３０ａおよび１３０ｂは、ねじりばね１７０からの付勢力により、筐体１１５から突出した状態になる。
【０１０３】
以上説明したように、本実施の形態の照明器具用アダプタ１００は、引掛シーリングボディ２００と照明器具３００とを接続するアダプタであって、着脱自在に照明器具３００を保持するアダプタである。
【０１０４】
照明器具用アダプタ１００は、特に、照明器具３００を取り外すための構造に特徴を有している。具体的には、照明器具用アダプタ１００は、筐体１１５に設けられた解除孔１６０に挿入されるコネクタ３３０により、照明器具３００の保持が解除される構造を有している。
【０１０５】
このコネクタ３３０は、照明器具用アダプタ１００と照明器具３００とを電気的および機械的に接続する部材であり、本実施の形態では、照明器具３００から延設された電線３３５の端部に設けられている。
【０１０６】
この構成によれば、照明器具３００が照明器具用アダプタ１００から取り外される場合、コネクタ３３０は、照明器具用アダプタ１００の接続部１５０から外された状態である。つまり、照明器具用アダプタ１００と照明器具３００との電線３３５による固定的な接続が解かれた状態で、コネクタ３３０を用いた照明器具用アダプタ１００の取り外し作業が行われる。
【０１０７】
従って、照明器具３００を照明器具用アダプタ１００から取り外す際に、電線３３５の断線およびコネクタ３３０の破損等のトラブルの発生が抑制される。
【０１０８】
また、照明器具用アダプタ１００の取り外しを行おうとする場合には、そのための道具として利用できるコネクタ３３０が必ず存在するため、ドライバまたは当該取り外し作業のための専用工具等を用意する必要がない。
【０１０９】
また、照明器具３００の取り外しの際に、係止部材１３０ａおよび１３０ｂを筐体１１５の内方に移動させるように作用する解除部材１３５（例えば図６参照）は、筐体１１５の内部に収容されている。そのため、照明器具３００の係止（保持機構部１３０による保持）が誤って解除される事態の発生が抑制される。
【０１１０】
なお、照明器具３００の取り外しの際に生じ得る電線３３５の断線等のトラブルの発生の回避は、例えば、接続部１５０にコネクタ３３０が接続されている場合に、照明器具３００の取り外しのためのレバーまたはボタンを動作させないことによっても実現可能である。
【０１１１】
しかし、この場合、例えば、レバーまたはボタンの動作を阻害可能な位置に接続部１５０を設ける必要があるなど、接続部１５０自体が、照明器具３００の取り外しのための機構に関与するため、例えば接続部１５０の位置の制約が大きいという問題が生じる。
【０１１２】
また、例えば、接続部１５０に接続された状態のコネクタ３３０がレバーまたはボタンを覆うことでも、上記トラブルの発生の回避は可能である。しかし、この場合、例えばコネクタ３３０が大型化するという問題が生じる。
【０１１３】
一方、本実施の形態に係る照明器具用アダプタ１００では、接続部１５０自体は、照明器具３００の取り外しのための機構に関与しないため、接続部１５０の位置についての制約は比較的に低い。例えば、接続部１５０を、筐体１１５（本体部１１０）の側面に接続部１５０を配置することも可能である。
【０１１４】
また、解除孔１６０に挿入して解除部材１３５を押すことが可能な範囲であれば、コネクタ３３０の小型化も可能である。コネクタ３３０を小型化することで、例えば、解除孔１６０の小型化も可能となり、その結果、コネクタ３３０以外の物体の解除孔１６０への挿入の可能性がより低減される。
【０１１５】
また、本実施の形態では、解除孔１６０は、筐体１１５の器具側面１１６の周縁部（中央部の外側の部分）に形成されている。
【０１１６】
そのため、ユーザは、例えば両手で照明器具３００を支えながら、安定した状態で、照明器具３００を照明器具用アダプタ１００から取り外すことができる。
【０１１７】
図１１は、実施の形態に係る照明器具３００の取り外し作業の様子を示す模式図である。
【０１１８】
本実施の形態では、上述のように、解除孔１６０にコネクタ３３０を挿入して押す、という、指一本で可能な作業によって、照明器具用アダプタ１００による照明器具３００の係止が解除される。また、解除孔１６０は筐体１１５の端縁から比較的に近い位置に存在する。
【０１１９】
そのため、図１１に示すように、例えば右手の親指でコネクタ３３０を押し上げることで、照明器具３００の係止を解除し、同時に、右手の他の指および左手の全体で、バランスよく照明器具３００を支えることができる。
【０１２０】
また、コネクタ３３０は、解除孔１６０への挿入時の姿勢における後端部に平面部３３１を有している。つまり、コネクタ３３０は、ユーザが指で押し易い構造を有している。
【０１２１】
また、コネクタ３３０を押さえている親指を離すだけで、コネクタ３３０は自然に解除孔１６０から外れ、照明器具３００に吊り下げられた状態となる。
【０１２２】
以上のように、本実施の形態に係る照明器具用アダプタ１００によれば、照明器具３００を安定的に保持し、かつ、照明器具３００の取り外しを容易に行うことができる。
【０１２３】
なお、実施の形態に係る照明器具用アダプタ１００の構成は、図１〜図１１によって示される構成以外であってもよい。そこで、照明器具用アダプタ１００についての各種の変形例を、実施の形態に係る照明器具用アダプタ１００との差分を中心に、図１２〜図１４を用いて説明する。
【０１２４】
（変形例１）
図１２は、実施の形態の変形例１に係る照明器具用アダプタ１０１の外観を示す斜視図である。
【０１２５】
図１２に示す照明器具用アダプタ１０１は、実施の形態に係る照明器具用アダプタ１００とは異なり、コネクタ３３０が着脱自在に接続される接続部１５０を有しておらず、筐体１１５から延設された電線３３５を有している。
【０１２６】
また、電線３３５の端部（筐体１１５とは反対側の端部）には、コネクタ３３０が備えられている。つまり、本変形例では、照明器具用アダプタ１０１は、電線３３５およびコネクタ３３０を備えている。
【０１２７】
より具体的には、照明器具用アダプタ１０１では、電線３３５の一端が、筐体１１５の内部の金属端子等に固定的に接続されている。また、電線３３５の他端にコネクタ３３０が設けられており、コネクタ３３０は、照明器具３００に設けられた接続部（図示せず）に着脱自在に接続される。
【０１２８】
これにより、筐体１１５が備える端子１２０ａおよび１２０ｂ（例えば図２参照）が引掛シーリングボディ２００から受けた電力は、電線３３５およびコネクタ３３０を介して照明器具３００に供給される。
【０１２９】
なお、コネクタ３３０の接続相手である、照明器具３００の接続部は、器具本体３１０に取り付けられている必要はない。照明器具３００の接続部は、例えば器具本体３１０から延設された電線の端部に備えられたコネクタであってもよい。
【０１３０】
また、ユーザは、照明器具用アダプタ１０１から照明器具３００取り外す際、照明器具３００の接続部からコネクタ３３０を抜き取り、照明器具用アダプタ１０１が備える解除孔１６０にコネクタ３３０を挿入する。
【０１３１】
これにより、例えば図６〜図１０を用いて説明したように、係止部材１３０ａおよび１３０ｂが筐体１１５の内方に移動し、照明器具用アダプタ１０１による照明器具３００の係止が解除される。また、例えば図１１を用いて説明したように、ユーザは照明器具３００をバランスよく支えながら、照明器具３００を照明器具用アダプタ１０１から取り外すことができる。
【０１３２】
また、本変形例では、照明器具用アダプタ１０１が接続部１５０を備えないため、例えば、筐体１１５の小型化が可能となる。
【０１３３】
また、電線３３５の、コネクタ３３０とは反対側の端部は、筐体１１５と接続されているため、コネクタ３３０を解除孔１６０に挿入した状態では、照明器具用アダプタ１０１と照明器具３００との電線３３５による機械的な接続は、完全に解除されている。
【０１３４】
そのため、照明器具３００の取り外しの際における、電線３３５の断線等のトラブルの発生がより確実に抑制される。
【０１３５】
このように、本変形例に係る照明器具用アダプタ１０１によれば、照明器具３００を安定的に保持し、かつ、照明器具３００の取り外しを容易に行うことができる。
【０１３６】
（変形例２）
図１３Ａは、実施の形態の変形例２に係る照明器具用アダプタ１０２の外観を示す斜視図である。
【０１３７】
なお、図１３Ａにおいて、電線３３５ならびにコネクタ３３０ａおよび３３０ｂは、点線で概念的に図示されている。また、本変形例において、コネクタ３３０ａおよび３３０ｂは、実施の形態に係るコネクタ３３０と同じ形状およびサイズの部材である。
【０１３８】
図１３Ｂは、実施の形態の変形例２に係る保持機構部２３０の構成概要を示す平面図である。
【０１３９】
図１３Ａに示す照明器具用アダプタ１０１は、実施の形態に係る照明器具用アダプタ１００とは異なり、筐体１１５に２つの解除孔（解除孔１６０ａおよび１６０ｂ）が形成されている。解除孔１６０ａおよび１６０ｂの一方は、第一解除孔の一例であり、他方は、第二解除孔の一例である。
【０１４０】
また、電線３３５の一端にはコネクタ３３０ａが設けられ、電線３３５の他端にはコネクタ３３０ｂが設けられている。
【０１４１】
これらコネクタ３３０ａおよびコネクタ３３０ｂの一方が、照明器具用アダプタ１０２の筐体１１５に設けられた接続部１５０に接続され、他方が、照明器具３００の接続部（図示せず）に接続される。これにより、照明器具用アダプタ１００と照明器具３００とが電気的および機械的に接続される。
【０１４２】
また、本変形例における解除孔１６０ａおよび１６０ｂのそれぞれは、同一形状のコネクタ３３０ａおよびコネクタ３３０ｂの挿入方向に交差する方向から見た場合の外形に沿った形状に形成されている。つまり、解除孔１６０ａおよび１６０ｂのそれぞれは、コネクタ３３０ａおよびコネクタ３３０ｂを挿抜自在とし、かつ、コネクタ３３０ａおよびコネクタ３３０ｂ以外の物体の挿入を阻害することのできる形状およびサイズに形成されている。
【０１４３】
また、本変形例における保持機構部２３０は、図１３Ｂに示すように、係止部材２３０ａおよび２３０ｂと、解除部材２３５とを有する。また、解除部材２３５は、互いに独立して動作可能な第一解除部材２３５ａおよび第二解除部材２３５ｂを有する。
【０１４４】
係止部材２３０ａおよび２３０ｂの一方は、第一係止部材の一例であり、他方は、第二係止部材の一例である。
【０１４５】
第一解除部材２３５ａは、テーパ部２３７ａを有し、第二解除部材２３５ｂは、テーパ部２３７ｂを有する。テーパ部２３７ａ（２３７ｂ）は、実施の形態に係るテーパ部１３７と同じく、コネクタ３３０ａ（３３０ｂ）からのＺ軸方向の押圧力を、第一解除部材２３５ａ（第二解除部材２３５ｂ）をＹ軸方向に移動させる力に変換する役割を果たす。
【０１４６】
また、係止部材２３０ａのカム溝２３１ａには、第一解除部材２３５ａの突起２３６ａが摺動自在に係合し、係止部材２３０ｂのカム溝２３１ｂには、第二解除部材２３５ｂの突起２３６ｂが摺動自在に係合している。
【０１４７】
なお、係止部材２３０ａおよび２３０ｂは、実施の形態の係止部材１３０ａおよび１３０ｂと同様に、ねじりばね等の弾性部材によって外方に付勢されているが、当該弾性部材の図示は省略されている。
【０１４８】
このような構造を有する照明器具用アダプタ１０２に、例えば照明器具３００（図３参照）が接続された状態で、解除孔１６０ａにコネクタ３３０ａが挿入され、解除孔１６０ｂにコネクタ３３０ｂが挿入された場合を想定する。
【０１４９】
この場合、コネクタ３３０ａが、第一解除部材２３５ａのテーパ部２３７ａと接触しかつ滑りあい、その結果、第一解除部材２３５ａは、Ｙ軸負の方向に移動する。また、コネクタ３３０ｂが、第二解除部材２３５ｂのテーパ部２３７ｂと接触しかつ滑りあい、その結果、第二解除部材２３５ｂは、Ｙ軸正の方向に移動する。つまり、第一解除部材２３５ａおよび第二解除部材２３５ｂはともに押されることで筐体１１５の内方に移動する。
【０１５０】
このように第一解除部材２３５ａがＹ軸負の方向に移動した場合、カム溝２３１ａに係合する突起２３６ａによって位置が規制される係止部材２３０ａは、係止部材２３０ｂに近づく方向に移動する。
【０１５１】
また、第二解除部材２３５ｂがＹ軸正の方向に移動した場合、カム溝２３１ｂに係合する突起２３６ｂによって位置が規制される係止部材２３０ｂは、係止部材２３０ａに近づく方向に移動する。
【０１５２】
すなわち、まり、第一解除部材２３５ａおよび第二解除部材２３５ｂが筐体１１５の内方に移動することで、係止部材１３０ａおよび１３０ｂも筐体１１５の内方に移動する。
【０１５３】
その結果、係止部材１３０ａおよび１３０ｂによる照明器具３００の係止は解除される。これにより、照明器具３００の、照明器具用アダプタ１０２からの取り外しが可能となる。
【０１５４】
このように、複数の解除部材のそれぞれの独立した動作によって、複数の係止部材による照明器具３００の係止を解除する構造を採用することで、例えば、照明器具３００が誤って照明器具用アダプタ１０２から取り外し可能な状態とされる可能性が低減される。
【０１５５】
なお、本変形例では、解除孔１６０ａおよび１６０ｂは、筐体１１５の器具側面１１６の周縁部に配置されている。より詳細には、器具側面１１６において、器具側面１１６の中央部を挟んで対向する位置に解除孔１６０ａと解除孔１６０ｂとが配置されている。
【０１５６】
このように２つの解除孔（解除孔１６０ａおよび１６０ｂ）が配置された照明器具用アダプタ１０２から照明器具３００を取り外す場合、当該取り外し作業は、例えば両手で行われる。また、この際、ユーザは、例えば右手の親指でコネクタ３３０ａを押し上げ、左手の親指でコネクタ３３０ｂを押し上げる。
【０１５７】
この取り外し作業においては、例えば図１１を参照することで分かるように、ユーザは右手および左手でバランスよく照明器具３００を支えることができる。
【０１５８】
このように、本変形例に係る照明器具用アダプタ１０２によれば、照明器具３００を安定的に保持し、かつ、照明器具３００の取り外しを容易に行うことができる。
【０１５９】
なお、解除孔１６０ａから挿入されるコネクタ３３０ａおよび解除孔１６０ｂから挿入されるコネクタ３３０ｂによって押される解除部材は１つであってもよい。
【０１６０】
例えば、コネクタ３３０ａから押圧力を受けることで、解除部材１３５（図６参照）が、照明器具３００の係止の解除に必要な移動量の半分だけ移動し、その状態でコネクタ３３０ｂから押圧力を受けることで、解除部材１３５が、残りの半分を移動してもよい。
【０１６１】
（変形例３）
図１４は、実施の形態の変形例３に係る照明器具用アダプタ１０３の外観を示す斜視図である。
【０１６２】
図１４に示す照明器具用アダプタ１０３は、実施の形態に係る照明器具用アダプタ１００と同じく、保持機構部１３０を備え、保持機構部１３０は、係止部材１３０ａおよび１３０を有する。また、保持機構部１３０は、筐体１１５の内部に収容された解除部材１３５を有する（図１４に図示せず）。
【０１６３】
しかし、本変形例に係る照明器具用アダプタ１０３は、実施の形態に係る照明器具用アダプタ１００とは異なり、解除孔１６１が、筐体１１５（本体部１１０）の側面１１８に配置されている。
【０１６４】
つまり、照明器具用アダプタ１０３では、コネクタ３３６が、筐体１１５の側面１１８から径方向に挿入される。
【０１６５】
そのため、本変形例における解除部材１３５（例えば、図６参照）は、例えばテーパ部１３７を有さない形状であり、解除孔１６１から挿入されたコネクタ３３６に押されることで、筐体１１５の内方に移動する。
【０１６６】
その結果、例えば図６〜図１０を用いて説明したように、係止部材１３０ａおよび１３０ｂが筐体１１５の内方に移動し、照明器具用アダプタ１０２による照明器具３００の係止が解除される。
【０１６７】
なお、照明器具用アダプタ１０３に照明器具３００を接続した状態において、側面１１８に設けられた解除孔１６１へのコネクタ３３６の着脱を可能または容易にするために、照明器具３００の取付孔３６０の周縁の所定の位置に凹部を設けてもよい。
【０１６８】
また、解除孔１６１を、側面１１８において器具側面１１６に近い位置に配置することで、照明器具用アダプタ１０３に照明器具３００を接続した状態において、解除孔１６１を器具本体３１０よりも下方側に露出させることも可能である。
【０１６９】
また、本変形例において、電線３３７の、コネクタ３３６が設けられた端部とは反対側の端部は、例えば、筐体１１５の内部の金属端子等に固定的に接続されている。従って、コネクタ３３６を解除孔１６１に挿入した状態では、照明器具用アダプタ１０２と照明器具３００との電線３３５による機械的な接続は完全に解除されている。そのため、照明器具３００の取り外しの際における、電線３３７の断線等のトラブルの発生がより確実に抑制される。
【０１７０】
また、本変形例に係る照明器具用アダプタ１０３は、コネクタ３３６が着脱自在に接続される接続部１５０を有しておらず、かつ、解除孔１６１が、筐体１１５の側面１１８に形成されている。
【０１７１】
そのため、照明器具用アダプタ１０３は、上述の照明器具用アダプタ１００等の他のアダプタと比較すると、厚み（Ｚ軸方向の幅）をより薄くすることが可能である。
【０１７２】
このように、本変形例に係る照明器具用アダプタ１０１によれば、照明器具３００を安定的に保持し、かつ、照明器具３００の取り外しを容易に行うことができる。
【０１７３】
（その他の実施の形態）
以上、実施の形態におよびその変形例に係る照明器具用アダプタについて説明したが、本発明は、上記実施の形態および変形例に限定されるものではない。
【０１７４】
例えば、上記実施の形態では、筐体１１５および引掛シーリングボディ２００の形状は、円筒状であるとしたが、筐体１１５および引掛シーリングボディ２００の形状は、円筒状に限定されるものではなく、その他の形状であってもよい。
【０１７５】
また、保持機構部１３０において、係止部材１３０ａおよび１３０ｂのそれぞれは、筐体１１５の外方に向かう方向の付勢力をねじりばね１７０から受けているとした。しかし、係止部材１３０ａおよび１３０ｂに付勢力を与える弾性部材の種類に特に限定はなく、例えば、コイルばねまたは板ばねであってもよい。
【０１７６】
また、係止部材１３０ａおよび１３０ｂではなく、解除部材１３５に対して、筐体１１５の外方に向かう方向の付勢力を与える弾性部材を筐体１１５に配置してもよい。
【０１７７】
この場合であっても、解除部材１３５の突起１３６ａおよび１３６ｂが、係止部材１３０ａおよび１３０ｂに摺動可能に係合しているため（図６参照）、係止部材１３０ａおよび１３０ｂのそれぞれは、通常では、筐体１１５の外方に付勢される。つまり、係止部材１３０ａおよび１３０ｂのそれぞれは、照明器具３００の安定的な係止（保持）に必要な付勢力を、解除部材１３５を介して受けることができる。
【０１７８】
また、保持機構部１３０は、筐体１１５から出退可能な係止部材を２つ有しているが、保持機構部１３０が有する、筐体１１５から出退可能な係止部材の数は１であってもよく、または３以上であってもよい。
【０１７９】
すなわち、筐体１１５の解除孔１６０にコネクタ３３０が挿入されているか否かに応じて、筐体１１５から出退する係止部材が少なくとも１つあれば、照明器具用アダプタ１００による照明器具３００の係止および係止の解除が可能である。
【０１８０】
例えば、筐体１１５が、側方に突出したフランジ部を有する場合、フランジ部と、筐体１１５から出退する係止部材との２箇所で、照明器具３００を係止（保持）することができる。この場合、例えば、照明器具３００の取付孔３６０を、フランジ部を有しかつ係止部材が内部に収容された状態の筐体１１５が挿入可能な形状およびサイズに形成することで、照明器具３００の照明器具用アダプタ１００に対する着脱が可能である。
【０１８１】
また、保持機構部１３０では、係止部材１３０ａおよび１３０ｂを移動させる機構として、カム機構が採用されているが、係止部材１３０ａおよび１３０ｂを移動させる手法に特に限定はない。例えば、保持機構部１３０は、係止部材１３０ａおよび１３０ｂを移動させる機構として、複数のリンクを組み合わせて構成したリンク機構が採用されてもよい。
【０１８２】
また、本発明は、照明器具用アダプタと、これに接続される器具本体とを備える照明器具して実現されてもよい。この場合、照明器具の光源は、基板上にＬＥＤチップを直接実装した、ＣＯＢ（Ｃｈｉｐ  Ｏｎ  Ｂｏａｒｄ）型の光源であってもよい。また、照明器具の光源は、表面実装型（ＳＭＤ：Ｓｕｒｆａｃｅ  Ｍｏｕｎｔ  Ｄｅｖｉｃｅ）のＬＥＤ素子を用いた光源であってもよい。
【０１８３】
なお、表面実装型のＬＥＤ素子とは、樹脂成型されたキャビティの中にＬＥＤチップを実装して当該キャビティ内に蛍光体含有樹脂を封入したパッケージ型のＬＥＤ素子である。
【０１８４】
また、照明器具の光源は、ＬＥＤを使用するものに限定されず、いわゆる蛍光灯であってもよいし、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を用いた光源であってもよい。
【０１８５】
また、照明器具の器具本体は、図３を用いて説明した形状および態様に限定されるものではない。例えば、吊り下げ式の器具本体（照明器具）にも本発明は適用可能である。
【０１８６】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【０１８７】
１００、１０１、１０２、１０３  照明器具用アダプタ
１１０  本体部
１１０ａ、１１０ｂ  開口
１１５  筐体
１１６  器具側面
１１７  取付面
１１８  側面
１２０ａ、１２０ｂ  端子
１３０、２３０  保持機構部
１３０ａ、１３０ｂ、２３０ａ、２３０ｂ  係止部材
１３１ａ、１３１ｂ、２３１ａ、２３１ｂ  カム溝
１３５、２３５  解除部材
１３６ａ、１３６ｂ、２３６ａ、２３６ｂ  突起
１３７、２３７ａ、２３７ｂ  テーパ部
１４０  ロック解除ボタン
１４０ａ  傾斜面
１５０  接続部
１５５  カバー
１６０、１６０ａ、１６０ｂ、１６１  解除孔
１６５  接続用開口
１８０  ロック部
１８０ａ  ロック爪部
１８０ｃ  傾斜面
２００  引掛シーリングボディ
２３５ａ  第一解除部材
２３５ｂ  第二解除部材
３００  照明器具
３１０  器具本体
３２０ａ  光源ユニット
３３０、３３０ａ、３３０ｂ、３３６  コネクタ
３３１  平面部
３３５、３３７  電線
３４０  蓋
３５０  カバー部材
３６０  取付孔
【図１】
2015088338.tif 000003
【図２】
2015088338.tif 000004
【図３】
2015088338.tif 000005
【図４】
2015088338.tif 000006
【図５】
2015088338.tif 000007
【図６】
2015088338.tif 000008
【図７】
2015088338.tif 000009
【図８】
2015088338.tif 000010
【図９】
2015088338.tif 000011
【図１０】
2015088338.tif 000012
【図１１】
2015088338.tif 000013
【図１２】
2015088338.tif 000014
【図１３Ａ】
2015088338.tif 000015
【図１３Ｂ】
2015088338.tif 000016
【図１４】
2015088338.tif 000017